(57)【要約】      （修正有）【課題】異形缶バッジの表蓋と裏蓋のカシメ固定が安定するカシメ部を提供する。【解決手段】星型あるいはハート型などの異形缶バッジにおいて、装飾層およびカバー層が被着された表蓋１０を裏蓋１４にカシメ固定する際、表蓋の外周部１０ａの曲率の小さい部分にはそのカシメ部に切り込み２０を設け、曲率が小さい部分であっても安定したカシメ固定を行うことができる。【選択図】図６
0003232767.tif 000002
【実用新案登録請求の範囲】
【請求項１】
装飾面を持った装飾層で覆われ、裏蓋に対して周辺のカシメ部がカシメ固定され缶バッジを形作る表蓋であって、周辺部の曲率が小さい部分にはカシメ部に切り込みが設けられていることを特徴とする異形缶バッジの表蓋。
【請求項２】
請求項１において、カシメ部の切り込みは複数の切り込みから成ることを特徴とする異形缶バッジの表蓋。
【考案の詳細な説明】
【技術分野】
【０００１】
本考案は異形缶バッジの表蓋、特に裏蓋とカシメ固定される表蓋のカシメ部の改良に関する。
【背景技術】
【０００２】
缶バッジは、さまざまな写真、絵柄などの装飾面を持った蓋材にて使用者の衣類あるいはバッグなどに容易に装着され、簡易な装飾体として広く用いられている。特許文献１には、意匠性に優れた缶バッジが開示されており、缶材は金属板に絞り加工を施すことにより、ハート型や星型のように意匠性に優れた異形缶バッジを提供している。
【先行技術文献】
【特許文献】
【０００３】
【特許文献１】特開２０１８−２９８１８
【考案の概要】
【考案が解決しようとする課題】
【０００４】
前述した特許文献１では、缶材を意匠性に優れた形状に絞り加工した後に缶材に裏蓋をカシメて固定している。しかしながら、星型やハート型の異形缶バッジにおいては、表蓋となる缶材の周辺部には曲率が小さい部分が含まれ、この部分をカシメ固定する際に、表蓋のカシメ部に均一な変型が得られない場合があり、この結果表蓋を覆う装飾層に破損、曲がりなどが生じ、適正な缶バッジ加工が得られないという問題があった。
【課題を解決するための手段】
【０００５】
本考案は、装飾面を持った装飾層で覆われ、裏蓋に対して周辺のカシメ部がカシメ固定され缶バッジを形作る表蓋であって、周辺部の曲率が小さい部分にはカシメ部に切り込みが設けられていることを特徴とする。
【考案の効果】
【０００６】
本考案によれば、表蓋と裏蓋とをカシメ固定する際に異形周辺部の曲率が小さい部分も切り込みによってカシメ時の変型が安定し、装飾層に乱れを生じることが無い均一な装飾面を持った異形缶バッジを得ることができる。
【図面の簡単な説明】
【０００７】
【図１】本考案の星型缶バッジの実施形態を示す正面図である。
【図２】本考案のハート型缶バッジの実施形態を示す正面図である。
【図３】表蓋と裏蓋とをカシメ加工するときの表蓋と裏蓋とを対応して配置した状態を示す要部断面図である。
【図４】図３の状態から裏蓋を表蓋に挿入して位置合わせをした状態を示す要部断面図である。
【図５】図４の状態から表蓋をカシメて表蓋、装飾層、カバー層を裏蓋にカシメ固定した状態を示す要部断面図である。
【図６】本考案にかかる星型異形缶バッジのカシメ固定した状態を缶バッジ裏面から見た背面図である。
【図７】本考案にかかる表蓋の曲率が小さいカシメ部に設けられた切り込みを示す拡大図である。
【図８】本考案にかかる異形缶バッジの表蓋のカシメ部を示す概略側面図である。
【考案を実施するための形態】
【０００８】
図１には、本考案にかかる異形缶バッジの一例が示され、この缶バッジは五角形の星型缶バッジを示している。缶バッジの表蓋１０は装飾面１２ａを持った装飾層１２で覆われ、この表蓋１０には、裏蓋がカシメ固定され、缶バッジが形作られている。図示した装飾面１２ａは製作時に任意に選択され、使用者は缶バッジの装飾面１２ａの好みに応じて所望の缶バッジを購入することができる。
【０００９】
図２は異形缶バッジの他の例を示し、図示のように表蓋３０には装飾面２２ａを持った装飾層２２が被覆され、全体としてハート型の異形缶バッジを形成している。
【００１０】
これらの異形缶バッジは、使用者の衣服、バッグなどに着脱可能に装着され、あるいは室内の机等に立てかけられ、使用者の好みに合わせた意匠的装飾を与えることができる。
【００１１】
上記異形缶バッジは表蓋１０と裏蓋とをカシメ固定して所望の装飾層１２を表蓋１０に固定し、装飾層１２の装飾面１２ａを表面に顕す。
【００１２】
図３から図５には星型缶バッジのカシメ固定手順を示し、表蓋１０に対して裏蓋１４がカシメ固定される。
【００１３】
図３は、カシメ固定される前の表蓋１０と裏蓋１４との位置合わせ状態が示され、表蓋１０には装飾層１２およびこの装飾層１２を保護する透明なカバー層１６が表蓋１０に被着されている。表蓋１０は通常金属製の展延性に優れた素材が用いられ、また装飾層１２は写真、絵などを題材にした所望の装飾面１２ａを表面に有する紙あるいはプラスチック等の薄フィルムから形成される。カバー層１６は装飾層１２の装飾面１２ａを保護するために透明薄フィルムから構成される。図３に示されるように、表蓋１０には装飾層１２そしてカバー層１６の順に重ねられ、その外周端が表蓋１０の内部に折り込まれ、この折り込み部に裏蓋１４が表蓋１０に向かって図４に示されるように挿入される。
【００１４】
そして、図５に示されるように、表蓋１０の外周部１０ａはそこに被着された装飾層１２およびカバー層１６の外周端と共に図５に示されるように内周側にカシメられ、裏蓋１４の外周端と係合して缶バッジが形成される。
【００１５】
図３から図５に示すカシメ工程は従来の丸形缶バッジの製作手順と同様であるが、本考案の対象である異形バッジにおいては、その特有の外観形状から次のような問題が生じていた。
【００１６】
図６は、星型缶バッジをカシメ固定した状態を裏から見た図であり、表蓋１０の外周部１０ａが裏蓋１４の外周端をカシメ固定している。しかしながら、このようなカシメ固定を行うに際して、異形缶バッジでは丸形缶バッジと異なり、その外周に曲率の小さい部分が有り、このような曲率の小さい外周部分のカシメがうまくいかない場合が多く発生していた。
【００１７】
図示した星型缶バッジでは、５個の星型頂部Ａ点、Ｂ点、Ｃ点、Ｄ点、Ｅ点が曲率の小さい曲面であり、このような曲率の小さい部分での前述した図３から図５に示したカシメ工程では、表蓋１０の外周部１０ａがカシメ変型される時に、均等に裏蓋１４に向かって倒れることができず、斜めに倒れたり、一部の倒れ角度が他と異なったりする不具合が生じ、更に表蓋１０の外周部１０ａのカシメ変型がうまく行われた場合においても、表蓋１０に被着されている装飾層１２あるいはカバー層１６がカシメ変型に置いていかれ、缶バッジからのはみ出し、カシメ残りとなり、これらのいずれにおいてもカシメ不良とならざるを得なかった。
【００１８】
本考案は、このようなカシメ不良を生じさせないように工夫されたものであり、図６の星型頂部Ａに示されるように、表蓋１０の外周部１０ａの曲率が小さい部分のカシメ部に切り込み２０が設けられることを特徴とする。
【００１９】
図７は、表蓋１０のプレス変型前における平板状態を示し、その星型頂部Ａは小さい曲率の円Ｒに沿って形が整えられている。本考案において特徴的なことは、この星型頂部に６個の切り込み２０が設けられ、これによって、曲率の小さい部分であっても各折り込み部２０ａが均等に折り曲がり、カシメ型に沿った変型を行うことができる点にある。
【００２０】
図８には、表蓋１０の外周部１０ａをカシメ変型する状態を示し、外周部１０ａは鎖線部分から矢印で示すように内側へ折り曲がり、裏蓋と確実に締結することができる。
【００２１】
本考案において、星型頂部などの曲率の小さい部分ではカシメ部に切り込み２０が設けられるので、この星型頂部での裏蓋との締結力は切り込みがないカシメ部と比較して若干弱くなるが、カシメ変型形状は極めて安定させることができ、従来のような表蓋の不整がカシメ変型あるいは装飾層、カバー層などの引き込み、残しなどを生じることがなく、適正なカシメ変型形状を呈することができる。本考案の切り込み２０は表蓋１０の全ての外周部１０ａに形成するわけではなく、周辺部の曲率が小さい部分にのみ設けられ、この部分の締結力が弱くとも他の表蓋外周部で充分な裏蓋との締結力を得ることが可能となる。
【符号の説明】
【００２２】
１０  表蓋、１０ａ  外周部、１２  装飾層、１４  裏蓋、１６  カバー層、２０  切り込み、２０ａ  折り込み部。
【図１】
0003232767.tif 000003
【図２】
0003232767.tif 000004
【図３】
0003232767.tif 000005
【図４】
0003232767.tif 000006
【図５】
0003232767.tif 000007
【図６】
0003232767.tif 000008
【図７】
0003232767.tif 000009
【図８】
0003232767.tif 000010